(57)【要約】【課題】連結調整、組付作業が容易で、しかもレバーと軸との結合強度も良好な開閉操作装置およびこれを用いた開閉装置を提供する。【解決手段】開閉器の開閉操作装置４であって、回動軸５と、この回動軸５の外周に、その軸線方向に沿って設けた第１及び第２の係合溝１８と、前記第１の係合溝１８に係合する係合突部１９を基部側に設けた第１のレバー６と、前記第２の係合溝１８に係合する係合突部を基部側に設けた第２のレバー６とを備えたことを特徴とする。【選択図】図４
2008071522.tif 000002
【特許請求の範囲】
【請求項１】
開閉器の開閉操作装置であって、回動軸と、この回動軸の外周に、その軸線方向に沿って設けた係合溝と、この係合溝に係合する係合突部を基部側に設けたレバーとを備えたことを特徴とする開閉操作装置。
【請求項２】
開閉器の開閉操作装置であって、回動軸と、この回動軸の外周に、その軸線方向に沿って設けた第１及び第２の係合溝と、前記第１の係合溝に係合する係合突部を基部側に設けた第１のレバーと、前記第２の係合溝に係合する係合突部を基部側に設けた第２のレバーとを備えたことを特徴とする開閉操作装置。
【請求項３】
請求項１又は２に記載の開閉操作装置において、前記レバーの基部における係合突部は、その軸方向寸法がレバー先端側のそれよりも大きいことを特徴とする開閉操作装置。
【請求項４】
請求項１乃至３のいずれかに記載の開閉操作装置において、前記レバーの基部間における前記係合溝に位置決め部材を設けたことを特徴とする開閉操作装置。
【請求項５】
請求項１乃至３のいずれかに記載の開閉操作装置において、前記レバーの係合突部と前記回動軸の係合溝との間に、板状部材を設けたことを特徴とする開閉操作装置。
【請求項６】
請求項４に記載の開閉操作装置において、前記回動軸の係合溝と前記位置決め部材との間に、板状部材を設けたことを特徴とする開閉操作装置。
【請求項７】
レバーとこのレバーを結合した回転軸を有する開閉操作装置によって、駆動装置の駆動力を開閉器の開閉操作として伝達する開閉装置において、前記開閉操作装置を、中空の回動軸と、この回動軸の外周の軸線方向に沿って設けた係合溝に係合する係合突部を基部側に設けたレバーとで構成し、前記回転軸を、これに挿入され、開閉装置の筐体内面側に設けた支持軸によって回動可能に支持したことを特徴とする開閉装置。
【請求項８】
請求項７に記載の開閉装置において、前記支持軸は、前記筐体の内面側に着脱可能に固定した支持軸保持体によって、筐体内に支持したことを特徴とする開閉装置。
【発明の詳細な説明】
【技術分野】
【０００１】
本発明は、受配電設備に使用される開閉操作装置およびこれに用いた開閉装置に係り、更に詳しくは開閉装置の遮断器等を開閉操作するレバーとこのレバーを固定した軸とからなる開閉操作装置およびこれに用いた開閉装置に関する。
【背景技術】
【０００２】
受配電設備に用いる開閉装置は、地絡等による系統の影響を防止するために、電源側と配電側との接続を遮断する遮断器、断路器等の開閉器を備えている。この開閉器には、その固定接触子に対して可動接触子を接離可能にするための操作機構および駆動装置とからなる開閉操作装置が設けられている。
【０００３】
その操作機構は、一般的に遮断器の可動接触子側に連結した可動接触子側の操作ロッドと、駆動装置の操作軸側の駆動側の操作ロッドと、これらの操作ロッドを連結し、駆動装置の駆動力を可動接触子側の操作ロッドに伝達する回転軸とこの回転軸に設けたレバーとからなる開閉操作部とで構成されている。
【０００４】
前述した開閉操作部におけるレバーは、その基部を回転軸に溶接等で接合固定されているが、その作業性とコストを改善するために、中空状の軸に必要な数のレバーをダイカスト成形して開閉操作軸を構成するものがある（例えば、特許文献１参照。）。
【０００５】
【特許文献１】特表２００３−５０７８４２号公報
【発明の開示】
【発明が解決しようとする課題】
【０００６】
上記従来技術に示されたように、回転軸の外周でその軸線方向に、複数のレバーを一体的に結合して開閉操作部を構成するものは、その生産性等に対して利点を有するが、その反面、この開閉操作部における各レバーと、遮断器の可動接触子側の操作ロッド及び駆動装置側の操作ロッドとの組付け性に不具合を生じる憾みがある。即ち、
開閉装置の構成が、例えば、その筐体内の後方側に１つの駆動装置を、その前方側で左右方向に３相に対応する３つの遮断器とを並設し、その上方部に開閉操作部を配置し、この開閉操作部を構成する一方のレバーの先端を、リンク機構を介して駆動装置側の操作ロッドに、他方の各レバーの先端をそれぞれ各相の遮断器の可動接触子側の操作ロッドに連結する場合、上述した従来の開閉操作軸では、各レバー間の軸方向寸法が予め固定された値になっているため、各遮断器が、筐体内の左右方向での設置位置ずれを生じていると、各レバーの先端と各相の遮断器の可動接触子側の操作ロッドとの連結作業が円滑に行えず、追加作業による調整を必要とすることがある。
【０００７】
また、上記従来技術の開閉操作軸において、何等かの原因でレバーに損傷が生じた場合には、レバーを含めた開閉操作軸全体を、筐体から取り外し、他の開閉操作軸を新たに組付け交換しなければならず、その交換作業が面倒であるので、その復旧作業に時間が掛かるという問題もある。
【０００８】
本発明は、上述の事柄に基づいてなされたもので、連結調整、組付作業が容易で、しかもレバーと軸との結合強度も良好な開閉操作装置およびこれを用いた開閉装置を提供することを目的とする。
【課題を解決するための手段】
【０００９】
上記の目的を達成するために、第１の発明は、開閉器の開閉操作装置であって、回動軸と、この回動軸の外周に、その軸線方向に沿って設けた係合溝と、この係合溝に係合する係合突部を基部側に設けたレバーとを備えたことを特徴とする。
【００１０】
また、第２の発明は、開閉器の開閉操作装置であって、回動軸と、この回動軸の外周に、その軸線方向に沿って設けた第１及び第２の係合溝と、前記第１の係合溝に係合する係合突部を基部側に設けた第１のレバーと、前記第２の係合溝に係合する係合突部を基部側に設けた第２のレバーとを備えたことを特徴とする。
【００１１】
更に、第３の発明は、第１又は第２の発明において、前記レバーの基部における係合突部は、その軸方向寸法がレバー先端側のそれよりも大きいことを特徴とする。
【００１２】
また、第４の発明は、第１乃至第３の発明のいずれかにおいて、前記レバーの基部間における前記係合溝に位置決め部材を設けたことを特徴とする。
【００１３】
更に、第５の発明は、第１乃至第３の発明のいずれかにおいて、前記レバーの係合突部と前記回動軸の係合溝との間に、板状部材を設けたことを特徴とする。
【００１４】
また、第６の発明は、第４の発明において、前記回動軸の係合溝と前記位置決め部材との間に、板状部材を設けたことを特徴とする。
【００１５】
更に、第７の発明は、レバーとこのレバーを結合した回転軸を有する開閉操作装置によって、駆動装置の駆動力を開閉器の開閉操作として伝達する開閉装置において、前記開閉操作装置を、中空の回動軸と、この回動軸の外周の軸線方向に沿って設けた係合溝に係合する係合突部を基部側に設けたレバーとで構成し、前記回転軸を、これに挿入され、開閉装置の筐体内面側に設けた支持軸によって回動可能に支持したことを特徴とする。
【００１６】
また、第８の発明は、第７の発明において、前記支持軸は、前記筐体の内面側に着脱可能に固定した支持軸保持体によって、筐体内に支持したことを特徴とする。
【発明の効果】
【００１７】
本発明の開閉操作装置によれば、レバーを、軸の外周に軸線方向に設けた溝に嵌めこむことにより、レバーと軸とを結合構成したので、その組付作業が容易で、しかもレバーと軸との結合強度も良好なものである。
【００１８】
本発明の開閉装置によれば、レバーと軸とからなる開閉操作装置と、これに連結する駆動装置、開閉器との連結調整が容易となり、その組付作業が容易であるとともに、交換作業も容易である。その結果、製造時間を短縮させ、また、交換時間の短縮による復旧性が良好である。
【発明を実施するための最良の形態】
【００１９】
以下、本発明の開閉操作装置及びこれに用いた開閉装置の実施の形態を図面を用いて説明する。  
図１乃至図６は、本発明の開閉操作装置の一実施の形態を示すもので、図１は本発明の開閉操作装置の一実施の形態を備えた開閉装置の平面図、図２は本発明の開閉操作装置の一実施の形態を構成する回転軸の縦断平面図、図３は図２の３−３矢視図、図４は図１の４−４矢視図、図５は本発明の開閉操作装置の一実施の形態を構成する回転軸の斜視図、図６は本発明の開閉操作装置の一実施の形態を構成するレバーを拡大して示す正面図である。図１において、開閉装置の筐体１内には、その前面側で幅方向（図１に上下方向）に各相の遮断器（真空バルブ）２が並置されている。筐体１内の後面側には、例えば電磁操作式の駆動装置３が配置されている。筐体１内における前記遮断器２及び駆動装置３の上方には、開閉操作装置４が配置されている。
【００２０】
開閉操作装置４は、回転軸５と、この回転軸５の一方側に設けたレバー６と、回転軸５の他方側に設けた複数のレバー７とで構成されている。レバー６は、その先端側がピン８によって駆動装置３の操作ロッド９に、また、各レバー７は、その先端がピン１０によって遮断器２側の操作ロッド１１に連結されている。この連結構成により、例えば電磁操作式の駆動装置３に連結した操作ロッド９の移動は、レバー６、回転軸５及びレバー７を介して遮断器２側の操作ロッド１１に伝えられて、遮断器２が開閉操作される。
【００２１】
回転軸５は、図２及び図３に示すように、その端部において、その中空孔１２に挿入される鍔部を有する支持軸１３によって回転可能に支持される。この支持軸１３は、筐体１の内面側に配置した支持軸保持体１４によって保持されている。支持軸保持体１４は、筐体１に設けた孔１５を通して、支持軸保持体１４の４隅部に設けたボルト孔１６に、ボルト１７がねじ込まれて筐体１の内面側に着脱可能に固定されている。
【００２２】
したがって、ボルト１５を筐体１から外すことにより、レバー６、７を備えた回転軸５、支持軸１３、支持軸保持体１４を、筐体１から取り外すことができる。また、逆に、これらを筐体１に組付けることができる。
【００２３】
また、回転軸５は、図４及び図５に示すように、その外周面において軸線方向に沿って係合溝１８が形成されている。この係合溝１８は、その開口部１８Ａ側を底部１８Ｂよりも小さくするための係合抜け止め用の突部１８Ｃが、開口部１８Ａ側に設けられている。
この回転軸５に取付られるレバー６，７の基部には、図６に示すように回転軸５の係合溝１８に嵌り込む係合突部１９と、回転軸５の外周面に当接する係合当接部２０が形成されている。
【００２４】
次に、上述した本発明の開閉操作装置の一実施の形態の組付け、分解動作を説明する。  まず、組付け動作を説明すると、回転軸５の一方側及び他方側の係合溝１８に、その軸方向端部から、レバー６，７の基部における係合突部１９を嵌め込むとともに、係合当接部２０を回転軸５の外周面に当接させ、レバー６，７を回転軸５の軸方向の適宜の位置に移動させておく。
【００２５】
次に、支持軸１３を予め支持軸保持体１４に組付け、支持軸１３を回転軸５の両端に挿入する。この状態で、回転軸５の両端に、支持軸１３及び支持軸保持体１４が組付けられるので、これらを一体にして筐体１上から、支持軸保持体１４が筐体１の内面側に位置するように筐体１内に挿入し、その後、筐体１に設けた孔１５を通して、支持軸保持体１４の４隅部に設けたボルト孔１６に、ボルト１７をねじ込むことにより、レバー６，７を有する回転軸５を筐体１内に回動可能に支持することができる。
【００２６】
その後、筐体１内の駆動装置３の操作ロッド９とレバー６との連結、及び各遮断器２側の操作ロッド１１と各レバー７との連結は、各レバー６，７を回転軸５の係合溝１８内に沿って微調整移動させることにより、これらの連結作業を容易かつ簡便に行うことができる。また、開閉操作装置４の組付け作業も容易となる。
【００２７】
また、何等かの事情、又は駆動装置の電磁力の設計に応じて長さが設定変更されたレバーだけを取り替え交換する必要性が生じた場合には、前述した組付け動作とは逆の動作により、開閉操作装置４を開閉装置の筐体１から容易に取り外すことができるとともに、レバー６，７を回転軸５から容易に取り外すことができ、その作業性を改善することができる。
【００２８】
更に、レバー６，７と回転軸５とは、回転軸５の係合溝１８とこれに嵌り込むレバー６，７の係合突部１９と、レバー６，７の基部に設けられ、回転軸５の外周面に当接する係合当接部２０とによって、堅固に結合することができる。
【００２９】
上述した本発明の開閉操作装置の一実施の形態によれば、レバーを、軸の外周に軸線方向に設けた溝に嵌めこむことにより、レバーと軸とを結合構成したので、その組付作業が容易で、しかもレバーと軸との結合強度も良好なものである。
【００３０】
また、本発明の開閉装置の一実施の形態によれば、レバーと軸とからなる開閉操作装置と、これに連結する駆動装置、開閉器との連結調整が容易となり、その組付作業が容易であるとともに、交換作業も容易である。その結果、製造時間を短縮させ、また、交換時間の短縮による復旧性が良好である。
【００３１】
図７は、本発明の開閉操作装置を構成する回転軸の他の実施の形態を示す横断面図で、この図７において、図２、図４の符号と同符号のものは同一部分であるので、その詳細な説明は省略する。  
この実施の形態は、回転軸５に設けた係合抜け止め用の突部１８Ｃの先端側に円弧部１８Ｄを形成したものである。この構成により、レバー６，７が曲げ変形をする際に、回転軸５の係合溝１８のエッジに加わる面圧によって生じる集中応力を低減させる効果がある。また、前述した実施の形態と同様な効果も当然得られるものである。
【００３２】
図８及び図９は、本発明の開閉操作装置を構成する回転軸及びレバーの他の実施の形態を示すもので、図８は回転軸の横断面図、図９はレバーの正面図である。これらの図において、図５、図６の符号と同符号のものは同一部分であるので、その詳細な説明は省略する。  
この実施の形態は、回転軸５に設けた係合溝１８、及びこの係合溝１８に嵌り込むレバー６，７の係合突部１９の形状を、鳩尾状の形状にしたものである。
【００３３】
この実施の形態によれば、回転軸５の係合溝１８とレバー６，７の係合突部１９との、鳩尾状の形状の結合及びその傾斜角度αにより、回転軸５とレバー６，７との結合性を高めることができるとともに、前述した実施の形態と同様な効果を得ることができる。
【００３４】
図１０は、本発明の開閉操作装置を構成するレバーの他の実施の形態を示す斜視図で、この図において、図７の符号と同符号のものは同一部分であるので、その詳細な説明は省略する。  
この実施の形態は、レバー６，７の係合突部１９の肉厚（回転軸５の軸線方向）寸法Ｔ１を、レバー６，７の肉厚Ｔ２よりも、大きくしたものである。
【００３５】
この実施の形態によれば、回転軸５の係合溝１８とレバー６，７の係合突部１９との、接合面積が増大し、回転軸５とレバー６，７との結合性を更に高めることができるとともに、前述した実施の形態と同様な効果を得ることができる。
【００３６】
図１１は、本発明の開閉操作装置の更に他の実施の形態を示す斜視図で、この図において、図４の符号と同符号のものは同一部分であるので、その詳細な説明は省略する。  
この実施の形態は、レバー６，７の基部間に位置するように、位置決め部材２１を回転軸５の係合溝１８に嵌め込み、レバー６，７の回転軸５方向の位置決めを確実したものである。  
なお、図１１においては、作図の都合上、位置決め部材２１を１つしか示していないが、位置決め部材２１はレバー６，７の両側に対応して設けられるものである。また、係合溝１８の両側端に位置する位置決め部材２１は、図１及び図２に示す支持軸保持体１４の内側面に当接し、抜け止めされている。
【００３７】
この実施の形態によれば、位置決め部材２１の使用により、レバー６，７の回転軸５方向の位置合わせ、及び位置決めが容易となり、その組付け作業を向上させることができるとともに、前述した実施の形態と同様な効果を得ることができる。定され、前記シャフトと前記レバーが固定されることできる。
【００３８】
また、前述した本発明の実施の形態において、図１２に示すように、回転軸５に設けた係合溝１８の底面とこれに当接するレバー６，７の係合突部１９の基端側面との間に、ばね材、楔体の如き板状部材２２を打ち込むことも可能である。このように構成することにより、長期間使用しても、がたを生じないようにすることができる。  
なお、板状部材２２は、位置決め部材２１の部分にも設けることができる。
【図面の簡単な説明】
【００３９】
【図１】本発明の開閉操作装置の一実施の形態を備えた開閉装置の平面図である。
【図２】本発明の開閉操作装置の一実施の形態を構成する回転軸の縦断平面図である。
【図３】図２の３−３矢視から本発明の開閉操作装置の一実施の形態を構成する回転軸を見た図である。
【図４】図１の４−４矢視から本発明の開閉操作装置の一実施の形態を構成する回転軸及びレバーを見た図である。
【図５】本発明の開閉操作装置の一実施の形態を構成する回転軸の斜視図である。
【図６】本発明の開閉操作装置の一実施の形態を構成するレバーを拡大して示す正面図である。
【図７】本発明の開閉操作装置を構成する回転軸の他の実施の形態を示す横断面図である。
【図８】本発明の開閉操作装置を構成する回転軸の更に他の実施の形態を示す横断面図である。
【図９】本発明の開閉操作装置を構成するレバーの更に他の実施の形態を示す正面図である。
【図１０】本発明の開閉操作装置を構成するレバーの他の実施の形態を示す斜視図である。
【図１１】本発明の開閉操作装置の更に他の実施の形態を示す斜視図である。
【図１２】本発明の開閉操作装置を構成する回転軸とレバーと結合部の他の実施の形態を示す横断面図である。
【符号の説明】
【００４０】
１        開閉装置の筐体
２        遮断器（真空バルブ）
３        電磁操作式の駆動装置
４        開閉操作装置
５        回転軸
６        レバー
７        レバー
１３      支持軸
１４      支持軸保持体
１７      ボルト
１８      係合溝
１９      係合突部
２０      係合当接部
２１      位置決め部材
２２      板状部材
【図１】
2008071522.tif 000003
【図２】
2008071522.tif 000004
【図３】
2008071522.tif 000005
【図４】
2008071522.tif 000006
【図５】
2008071522.tif 000007
【図６】
2008071522.tif 000008
【図７】
2008071522.tif 000009
【図８】
2008071522.tif 000010
【図９】
2008071522.tif 000011
【図１０】
2008071522.tif 000012
【図１１】
2008071522.tif 000013
【図１２】
2008071522.tif 000014